【手続補正書】
【提出日】平成17年3月30日(2005.3.30)
【手続補正１】
【補正対象書類名】明細書
【補正対象項目名】全文
【補正方法】変更
【補正の内容】
【書類名】      明細書
【発明の名称】  多重化装置
【特許請求の範囲】
【請求項１】  複数の端末からのデータを多重化して、該多重化信号を所定の通信網に伝送する多重化装置において、
該装置は少なくとも、
それぞれの端末側の異常を表わす警報ビットを検出する警報検出手段と、
該警報ビットをそれぞれの端末毎に網側で識別可能な警報信号に変換する警報変換手段とを含み、
該警報変換手段により変換した警報信号を多重化信号の所定の位置に付加して前記通信網に伝送することを特徴とする多重化装置。
【請求項２】  複数の端末からのデータを多重化して、該多重化信号を所定の通信網に接続された伝送路を介して伝送する多重化装置において、
それぞれの端末からのデータを入力する入力手段であって、それぞれのデータを終端して端末側の異常を表わす警報ビットをそれぞれ検出する警報検出手段を含む入力手段と、
該入力手段からのそれぞれのデータを多重化する際の所定の順序により選択するデータ選択手段と、
該データ選択手段により選択したデータの順序に応動して前記警報検出手段によって検出した警報ビットをそれぞれ選択する警報ビット選択手段と、
前記データ選択手段からのデータおよび前記警報ビット選択手段からの警報ビットを一時蓄積するバッファ手段と、
前記データ選択手段および前記バッファ手段を制御して所定の並びの多重化信号を形成する制御手段であって、さらに前記警報ビット選択手段および前記バッファ手段を制御して前記警報ビット選択手段により選択した警報ビットをそれぞれ前記バッファ手段の対応のデータを記憶した対応のアドレスに書き込みおよび読み出す制御手段と、
前記バッファ手段からデータとともに読み出された警報ビットを網側で識別可能な警報信号にそれぞれ変換する警報変換手段と、
前記バッファ手段から読み出されたデータ列により形成される多重化信号に前記警報変換手段からの警報信号を付加して、前記伝送路により伝送する所定のフレームとして形成するフレーム形成手段とを含むことを特徴とする多重化装置。
【請求項３】  請求項１または請求項２に記載の多重化装置において、前記警報検出手段は
、端末からのデータを終端した際に、その同期ずれあるいはデータ誤りに基づいて端末との間の伝送路の異常を検出し、それら異常を表わす警報ビットを生成する警報ビット生成機能を含むことを特徴とする多重化装置。
【請求項４】  請求項２または請求項３に記載の多重化装置において、前記制御手段は、前記バッファ手段のいずれのアドレスにいずれの端末からのデータを割り付けるかをあらかじめ記憶した端末位置記憶手段を含み、該端末位置記憶手段に基づいて前記データ選択手段および前記警報ビット選択手段を制御して前記記憶手段の所定のアドレスにそれぞれの端末からのデータおよび警報ビットをそれぞれ割り付けることを特徴とする多重化装置。
【請求項５】  請求項１ないし請求項４のいずれかに記載の多重化装置において、前記警報変換手段は、端末の種別を表わす種別ビットがあらかじめ記憶された種別ビット記憶手段と、該種別ビット記憶手段からの種別ビットと前記バッファ手段からの警報ビットに基づいてこれらを警報信号に変換する変換テーブルとを含み、前記種別ビット記憶手段は、前記制御手段の制御の下に前記バッファ手段から警報ビットが読み出される際にそのアドレスに基づいて対応の端末の種別ビットが読み出されることを特徴とする多重化装置。
【請求項６】  請求項１ないし請求項５のいずれかに記載の多重化装置において、前記フレーム形成手段は、前記警報変換手段からのそれぞれの端末毎の警報信号を複数のフレームから構成されるマルチフレームの所定の位置にそれぞれ割り付けることを特徴とする多重化装置。
【発明の詳細な説明】
【０００１】
【発明の属する技術分野】
本発明は、多重化装置に係り、特に、たとえば企業等において高速ディジタル専用線を利用する際に用いて好適な多重化装置に関するものである。
【０００２】
【従来の技術】
近年、通信網のディジタル化が図られ、電話網からデータ通信網まであらゆるサービス網が統合されつつある。この場合、ユーザ端末を網に接続する際には、所定の網終端装置、いわゆるＤＳＵ(digital
service unit)を加入者宅に設置して、網から提供されるディジタル加入者線を終端していた。これにより、ディジタル加入者線を収容する網のノード装置では、網終端装置からの保守管理情報に基づいてディジタル加入者線の運用および管理をしていた。
【０００３】
一方、企業等においては、構内の複数の端末を時分割多重化装置に収容して、これにより多重化したデータを専用線を介して他の地域に伝送するものが知られている。この場合、上記のようなディジタル網から提供される、たとえば高速ディジタル専用線を利用する際には、上記と同様に網から提供される網終端装置が構内に設置されて、この網終端装置を介して多重化装置と高速ディジタル専用線を接続していた。
【０００４】
すなわち、上記のような多重化装置では、複数の端末からのデータを所要の伝送フレームに多重化する。多重化されたデータは、網終端装置により終端されてその全体の多重化信号について、保守運用情報が付加されて網に伝送される。網側では、その専用線を収容するノード装置により保守運用情報を検出して高速ディジタル専用線の運用および管理をしていた。
【０００５】
【発明が解決しようとする課題】
ところで、上述した従来の技術では、加入者が単独の端末である場合については、網終端装置によりそのデータを終端することにより異常を検出して、網側のノード装置に通知することができる。しかし、多重化装置を介して複数の端末を収容する場合には、いずれの端末において異常が発生したかを網終端装置により検出することができなかった。特に、専用線のように呼が固定的に設定されている場合は、それらのシグナリング情報が送出されないので、網側ではその特定が困難であった。また、構内において複数の端末を多重化装置に収容する場合、その収容形態が様々であり、さらに端末毎の異常を検出することが困難になるという問題があった。
【０００６】
本発明は、上記のような課題に鑑みてなされたものであり、複数の端末からのデータを多重化する際にそれぞれの端末の状態を網側のノード装置に有効に通知することができる多重化装置を提供することを目的とする。
【０００７】
【課題を解決するための手段】
本発明による多重化装置は上述の課題を解決するために、複数の端末からのデータを多重化して、該多重化信号を所定の通信網に伝送する多重化装置において、該装置は少なくとも、それぞれの端末側の異常を表わす警報ビットを検出する警報検出手段（１０２Ａ〜１０２Ｎ）と、該警報ビットをそれぞれの端末毎に網側で識別可能な警報信号に変換する警報変換手段２０と、を含み、該警報変換手段により変換した警報信号を多重化信号の所定の位置に付加して前記通信網に伝送する構成である。
【０００８】
有利には、本発明による多重化装置は上述の課題を解決するために、複数の端末からのデータを多重化して、その多重化信号を所定の通信網に接続された伝送路を介して伝送する多重化装置において、それぞれの端末からのデータを入力する入力手段（１０）であって、それぞれのデータを終端して端末側の異常を表わす警報ビットをそれぞれ検出する警報検出手段（１０２Ａ〜１０２Ｎ）を含む入力手段と、入力手段からのそれぞれのデータを多重化する際の所定の順序により選択するデータ選択手段（１２）と、データ選択手段により選択したデータの順序に応動して警報検出手段によって検出した警報ビットをそれぞれ選択する警報ビット選択手段（１４）と、データ選択手段からのデータおよび警報ビット選択手段からの警報ビットを一時蓄積するバッファ手段（１６）と、データ選択手段およびバッファ手段を制御して所定の並びの多重化信号を形成する制御手段であって、さらに警報ビット選択手段およびバッファ手段を制御して警報ビット選択手段により選択した警報ビットをそれぞれバッファ手段の対応のデータを記憶した対応のアドレスに書き込みおよび読み出す制御手段（１８）と、バッファ手段からデータとともに読み出された警報ビットを網側で識別可能な警報信号にそれぞれ変換する警報変換手段（２０）と、バッファ手段から読み出されたデータ列により形成される多重化信号に警報変換手段からの警報信号を付加して、伝送路により伝送する所定のフレームとして形成するフレーム形成手段（２２）とを含むことを特徴とする。
【０００９】
この場合、警報検出手段（１０２Ａ〜１０２Ｎ）は、端末からのデータを終端した際に、その同期ずれあるいはデータ誤りに基づいて端末との間の伝送路の異常を検出し、それら異常を表わす警報ビットを生成する警報ビット生成機能を含むとよい。
【００１０】
また、制御手段（１８）は、バッファ手段のいずれのアドレスにいずれの端末からのデータを割り付けるかをあらかじめ記憶した端末位置記憶手段（１９０）を含み、その端末位置記憶手段に基づいてデータ選択手段および警報ビット選択手段を制御して記憶手段の所定のアドレスにそれぞれの端末からのデータおよび警報ビットをそれぞれ割り付けると有利である。
【００１１】
さらに有利には、警報変換手段（２０）は、端末の種別を表わす種別ビットがあらかじめ記憶された種別ビット記憶手段（２０４）と、種別ビット記憶手段からの種別ビットとバッファ手段からの警報ビットに基づいてこれらを警報信号に変換する変換テーブル（２０６）とを含み、種別ビット記憶手段は、制御手段の制御の下にバッファ手段から警報ビットが読み出される際にそのアドレスに基づいて対応の端末の種別ビットが読み出されるとよい。
【００１２】
また、フレーム形成手段（２２）は、警報変換手段からのそれぞれの端末毎の警報信号を複数のフレームから構成されるマルチフレームの所定の位置にそれぞれ割り付けるとよい。
【００１３】
【発明の実施の形態】
次に、添付図面を参照して本発明による多重化装置の実施の形態を詳細に説明する。図１には、本発明による多重化装置の一実施形態が示されている。本実施形態による多重化装置は、たとえば企業等の構内に設置されて複数の端末を収容する多重化装置であり、本実施形態では、たとえば所定の通信事業者から提供された６．３Mbpsの高速ディジタル専用線により伝送する多重化信号を形成する時分割多重化装置を例に挙げて説明する。特に、本実施形態では、それぞれの端末からのデータを終端してそれらの警報情報を網側のノード装置においてそれぞれの端末毎に識別可能な情報に変換して通知する網終端機能を含む点が主な特徴点である。
【００１４】
より詳細には、本実施形態による多重化装置は、図１に示すように、入力変換部１０と、データセレクタ回路１２と、警報セレクタ回路１４と、バッファメモリ１６と、多重化制御部１８と、警報変換部２０と、出力変換部２２とを含む。入力変換部１０は、所定のデータ端末が接続される複数の低速側入力１００Ａ〜１００Ｎを含み、これらを介して入力するデータをそれぞれのフレーム毎に同期をとって高速側のフレームと同様の速度にそれぞれ変換する変換回路である。本実施形態では図に示すように、複数のフレーム終端回路１０２Ａ〜１０２Ｎと、複数の速度変換回路１０４Ａ〜１０４Ｎと、複数のデータ側のシリアル−パラレル変換回路（Ｓ／Ｐ）１０６Ａ〜１０６Ｎと、警報側のシリアル−パラレル変換回路１０８Ａ〜１０８Ｎとを含む。低速側入力１００Ａ〜１００Ｎには、（６４×ｎ）kbpsのデータ端末がＮ台、たとえば６４kbps端末で最大９６台まで、または１．５Mbps端末で最大４台まで、あるいは２．０Mbps端末で最大３台まで収容される。有利には、６４kbps〜２．０Mbpsのデータ端末が混在して合計６．１４４Mbpsまで収容可能となっている。ちなみに、１．５Mbps端末または２．０Mbps端末などの６４kbpsを越える容量の端末は、映像端末などの広帯域端末の他、６４kbpsをｎ多重した多重化装置を含む。
【００１５】
フレーム終端回路１０２Ａ〜１０２Ｎは、端末からのデータをそれぞれのフレーム毎に終端して伝送データおよび警報情報を検出するインタフェース回路であり、本実施形態では、データの同期はずれおよびＣＲＣ符号などによる符号誤りを検出して、端末側の異常を表わす警報ビットを生成する警報ビット生成機能を有する警報検出回路である。たとえば、警報ビットは、４ビットにより表わされて、端末故障または伝送路故障あるいはそれぞれのエラーの発生状況など１６種類の警報を識別可能となっている。終端された伝送データはそれぞれデータ速度変換回路１０４Ａ〜１０４Ｎに供給され、警報ビットは警報側のシリアル−パラレル変換回路１０８Ａ〜１０８Ｎにそれぞれ供給される。
【００１６】
データ速度変換回路１０４Ａ〜１０４Ｎは、フレーム終端回路１０２Ａ〜１０２Ｎを介してそれぞれ所定の速度によりビットシリアルに入力するデータをフレーム毎に順次蓄積して高速に読み出す入力バッファであり、読み出されたデータは対応のシリアル−パラレル変換回路１０６Ａ〜１０６Ｎに順次供給される。データ側のシリアル−パラレル変換回路１０６Ａ〜１０６Ｎは、速度変換回路１０４Ａ〜１０４Ｎからのシリアルデータを８ビットパラレルに変換する変換回路であり、変換されたパラレルデータはデータセレクタ回路１２に順次供給される。警報側のシリアル−パラレル変換回路１０８Ａ〜１０８Ｎは、フレーム終端回路１０２Ａ〜１０２Ｎからの警報ビットを４ビットパラレルに変換する変換回路であり、変換されたパラレルの警報ビットは警報セレクタ回路１４に順次供給される。
【００１７】
データセレクタ回路１２は、多重化制御部１８の制御の下に、入力変換部１０を介して入力するそれぞれの端末からのデータを８ビットのタイムスロット毎に時分割する時分割回路であり、本実施形態では、入力変換部１０のデータ側のシリアル−パラレル変換回路１０６Ａ〜１０６Ｎからのパラレルデータを所定の順序により選択的に入力してバッファメモリ１６に供給する多入力１出力のセレクタ回路である。警報セレクタ回路１４は、入力変換部１０の警報側のシリアル−パラレル変換回路１０８Ａ〜１０８Ｎからの４ビットパラレルの警報ビットを所定の順序により選択的に入力してバッファメモリ１６に供給する多入力１出力のセレクタ回路であり、本実施形態では、多重化制御部１８の制御の下にデータセレクタ回路１２の選択順序に応動して、その選択したデータに対応する端末毎の警報ビットを選択する選択回路である。たとえば、データ側の第１のシリアルパラレル変換回路１０６Ａからのデータが選択されている際には、これに対応する警報側の第１のシリアルパラレル変換回路１０８Ａからの警報ビットが選択される。
【００１８】
バッファメモリ１６は、データセレクタ回路１２からのデータおよび警報セレクタ回路１４からの警報ビットを一時蓄積する記憶回路であり、本実施形態では多重化制御部１８の制御の下にそれぞれの端末毎のデータおよび警報ビットが対応のアドレスにそれぞれ書き込みおよび読み出される。たとえば、本実施形態では、少なくとも１２（ビット）×９６の記憶領域が２フレーム分用意され、それぞれのアドレス毎に上位８ビットがデータに割り当てられ、下位４ビットがそのデータに対応する警報ビットに割り当てられる。それぞれの記憶領域は、１フレーム毎に書き込みおよび読み出しが交互に切り替えられる。読み出されたデータは出力変換部２２に供給され、警報ビットは警報変換部２０を介して出力変換部２２に供給される。
【００１９】
多重化制御部１８は、セレクタ回路１２，１４の選択制御ならびにバッファメモリ１６の書込み制御および読出し制御をそれぞれ司る制御回路であり、本実施形態では、図に示すように、ライトアドレス制御回路１８２と、リードアドレス制御回路１８４と、主制御回路（ＣＰＵ）１８６とを含む。ライトアドレス制御回路１８２は、主制御回路１８６の制御の下に、データセレクタ回路１２および警報セレクタ回路１４にそれぞれ選択信号を供給するセレクタ制御機能を含み、その際、選択されたデータおよび警報ビットをバッファメモリ１６に書き込むための書込み先アドレスをライトクロックＷＣＫに応動して生成する書込み制御回路である。
【００２０】
リードアドレス制御回路１８４は、主制御回路１８６の制御の下に読出しアドレスを生成して、バッファメモリ１６に蓄積されたデータおよび警報ビットをそれぞれ読み出す読出し制御回路であり、本実施形態では、バッファメモリ１６への読出しアドレスと同様のアドレス、つまりいずれの端末からのデータに対応する警報ビットであるかを表わす読出しアドレスを警報変換部２０に供給して指示する端末指示機能を含む。主制御回路１８６は、ライトアドレス制御回路１８２およびリードアドレス制御回路１８４を制御して所定の多重化規則に従ってデータを多重化する主制御部であり、本実施形態では、入力変換部１０のいずれの低速側入力１００Ａ〜１００Ｎにいずれの種類の端末が収容されているかを表わす種別ビットを警報変換部２０の警報種別メモリ２０４にあらかじめ登録しておく登録制御機能を含む。たとえば、主制御回路１８６には、図示しない入力装置が接続されて、初期設定の際あるいは端末位置を変更した際に、それらの端末の種別ビットの登録を行なう。
【００２１】
警報変換部２０は、バッファメモリ１６から読み出された警報ビットにより表わす端末毎の警報情報を網側で識別可能な警報信号に変換する変換回路であり、本実施形態では、警報種別メモリ２０４と、警報変換テーブル２０６とを含む。警報種別メモリ２０４は、収容された端末の種別を表わす種別ビットがその収容位置に応じてあらかじめ登録された記憶回路であり、本実施形態では、制御部１８のリードアドレス制御回路１８４からの読出しアドレスに基づいてその警報ビットに対応する端末の種別ビットが読み出される。種別ビットは、たとえば４ビットにより表わされて、１６種類までの端末の種別を識別可能となっている。端末種別としては主に端末の伝送容量あるいは発信情報の種類などを含む。警報変換テーブル２０６は、バッファメモリ１６から読み出された警報ビットおよび警報種別メモリ２０４から読み出された種別ビットに基づいて、それらを網側のノード装置により識別可能な警報信号に変換する変換回路であり、本実施形態ではたとえば、図２に示すように、４ビットの警報ビット（１〜４）および４ビットの種別ビット（Ａ〜Ｄ）を読出しアドレスとして受けて、そのアドレスにより指示された伝送路警報データ（ｄ０〜ｄ７）が警報信号として読み出される記憶回路である。警報信号は、たとえば８ビットにより表わされて、警報別および端末種別により２５６種類記憶されている。変換された警報信号は出力変換部２２に供給される。
【００２２】
図１に戻って、出力変換部２２は、バッファメモリ１６からのデータと警報変換部２０からの警報信号とを受けて、これらを専用線により伝送する所定の伝送フレームに形成して出力する出力回路であり、本実施形態では、データ側のパラレル−シリアル変換回路（Ｐ／Ｓ）２２２と、警報側のパラレル−シリアル変換回路（Ｐ／Ｓ）２２４と、フレーム生成回路２２６とを含む。データ側のパラレル−シリアル変換回路２２２は、バッファメモリ１６から８ビットパラレルに読み出されたデータをビットシリアルに変換する変換回路である。警報側のパラレル−シリアル変換回路２２４は、警報変換部２０から８ビットパラレルに読み出された警報信号をビットシリアルに変換する変換回路である。フレーム生成回路２２６は、たとえば図３に示すように、１フレーム当たり９６タイムスロット（ＴＳ）の多重化データに、２タイムスロットのステータスビット（ＳＴ）および５ビットのフレームビット（Ｆ）を付加して６．３Mbpsの伝送フレームを形成するフレーム形成回路であり、本実施形態では、２タイムスロット×６４マルチに形成されたステータスビットＳＴにおいて、各端末が多重化されるタイムスロットに対応したビットに警報信号を挿入する。もちろん、ステータスビットＳＴにはフレーム同期信号を含み、他に９６ＴＳ毎のパリティビットが付加される。フレームビットＦは４マルチにより構成され、６Ｍインタフェースに関する通知ビットおよびＣＲＣビットなどが含まれる。
【００２３】
上記のような構成において、まず、管理者は、初期設定の際あるいは端末位置を変更した際に入力変換部１０のいずれの低速側入力１００Ａ〜１００Ｎにいずれの種別の端末が収容されているかを主制御回路１８６を介して登録しておく。この際、主制御回路１８６では、その多重化順序に応じて警報変換部２０の警報種別メモリ２０４に、それぞれの端末毎のデータ位置に従ってそれぞれの端末毎の種別ビットをあらかじめ書き込んでおく。次に、動作状態において、それぞれの端末からのデータが入力変換部１０に供給されると、フレーム終端回路１０２Ａ〜１０２Ｎでは、低速側入力１００Ａ〜１００Ｎを介して入力するデータをそれぞれフレーム毎に終端して、その同期検出および誤り検出を実行して、端末側に異常が発生しているか否かを検出しつつ、それぞれ同期をとったデータを速度変換回路１０４Ａ〜１０４Ｎにそれぞれ供給する。その際、端末側に異常が発生していると、フレーム終端回路１０２Ａ〜１０２Ｎでは、その異常を表わす警報ビットを生成して対応の警報側のシリアルパラレル変換回路１０８Ａ〜１０８Ｎに供給する。たとえば、第２の入力１００Ｂからのデータに同期はずれが発生しているとすると、その警報ビットが第２の警報側シリアルパラレル変換回路１０８Ｂに供給される。
【００２４】
一方、フレーム終端回路１０２Ａ〜１０２Ｎにより終端されたデータは、データ速度変換回路１０４Ａ〜１０４Ｎにおいて順次蓄積されてそれぞれ高速に読み出されてデータ側のシリアルパラレル変換回路１０６Ａ〜１０６Ｎに順次供給される。これにより、それぞれの端末からのデータがデータ側のシリアルパラレル変換回路１０６Ａ〜１０６Ｎにより８ビットパラレルに変換されて、データセレクタ回路１２に順次供給される。他方、警報セレクタ回路１４には、たとえば上記のように第２のフレーム終端回路１０２Ｂにより検出された警報ビットが第２のシリアルパラレル変換回路１０８Ｂにおいて４ビットパラレルに変換されて供給される。
【００２５】
次に、主制御回路１８６の制御の下にライトアドレス制御回路１８２からデータセレクタ回路１２および警報セレクタ回路１４に選択信号が供給されると、データセレクタ回路１２ではたとえば第１〜第Ｎの順にシリアルパラレル変換回路１０６Ａ〜１０６Ｎからのデータを選択し、同様に、警報セレクタ回路１４では第１〜第Ｎの順にシリアルパラレル変換回路１０８Ａ〜１０８Ｎからの警報ビットを選択する。この場合、データセレクタ回路１２により第２のシリアルパラレル変換回路１０６Ｂからのデータを選択すると、これに応動して警報セレクタ回路１４では第２のシリアルパラレル変換回路１０８Ｂからの警報ビットを選択して、それぞれバッファメモリ１６に供給する。
【００２６】
次に、バッファメモリ１６に、ライトアドレス制御回路１８２から書込みアドレスがライトクロックＷＣＫに応動して供給されると、データセレクタ回路１２により順次選択されたデータと警報セレクタ回路１４により選択された警報ビットがそのアドレスに順次蓄積される。次に、バッファメモリ１６にたとえば９６タイムスロット分のデータが蓄積されると、主制御回路１８６はリードアドレス制御回路１８４を駆動してバッファメモリ１６に所定の順序により読出しアドレスを供給する。これにより、バッファメモリ１６から読み出されたデータは順次出力変換部２２に供給され、これとともにバッファメモリ１６から読み出された警報ビットは警報変換部２０に供給される。この際、リードアドレス制御回路１８４からその読み出し順序に応じていずれの端末からのデータを読み出したかを区別するアドレスが警報変換部２０の警報種別メモリ２０４に供給されて、たとえば、第２の端末からのデータとともにその警報ビットが読み出されると、警報種別メモリ２０４から第２の端末の種別を表わす種別ビットが読み出されて警報変換テーブル２０６に供給される。
【００２７】
次に、警報変換テーブル２０６にバッファメモリ１６から読み出された警報ビットと警報種別メモリ２０４からの種別ビットが供給されると、それらのビットにより表わされるアドレスによって指定された警報信号が警報変換テーブル２０６から読み出されて出力変換部２２に供給される。一方、バッファメモリ１６から読み出されたデータは、出力変換部２２のパラレルシリアル変換回路２２２によりビットシリアルに変換されてフレーム生成回路２２６に供給され、フレーム生成回路２２６により９６タイムスロットのデータフレームが形成される。この際、警報変換テーブル２０６から読み出された警報信号は、パラレルシリアル変換回路２２４によりビットシリアルに変換されてフレーム生成回路２２６に供給される。この結果、フレーム生成回路２２６は、たとえばデータフレームの第２のタイスロットのデータに対応して警報信号を受けると、これをたとえばその位置に対応した所定のマルチフレームのステータスビットに挿入して、専用線により伝送するフレームを形成する。形成された伝送フレームは、専用線を介して網に伝送される。これにより、網のノード装置では、マルチフレームのステータスビットの位置からいずれの端末かを検出して、その警報信号により表わされる警報の種類および端末の種別を識別して、たとえば第２の端末において異常が発生していることを検出する。
【００２８】
以下同様に、端末側において異常が発生すると、入力変換部１０のフレーム終端回路１０２Ａ〜１０２Ｎによってその異常を検出して警報ビットを生成し、警報側のシリアルパラレル変換回路１０８Ａ〜１０８Ｎに供給する。シリアルパラレル変換回路１０８Ａ〜１０８Ｎからの警報ビットは、データセレクタ回路１２においてその対応のデータを選択する際に、警報セレクタ回路１４によって選択されて、バッファメモリ１６にそのデータと同じアドレスに書き込まれて、さらにそのデータとともに読み出される。データとともに警報ビットが読み出されると、リードアドレス制御回路１８４の読出し制御により警報種別メモリ２０４からその端末の種別ビットが読み出されて警報変換テーブル２０６に供給され、警報ビットおよび種別ビットで表わされるアドレスにより警報変換テーブル２０６からそれらに対応する警報信号が読み出されて出力変換部２２に供給される。これにより、出力変換部２２では、バッファメモリ１６からのデータを専用線により伝送する多重化フレームに形成した際に、警報変換部２０からの警報信号をその端末位置に応じて所定のマルチフレームのステータスビットに挿入して、これを専用線に送出する。この結果、網側のノード装置では、専用線を介して伝送されるステータスビットを検出して、そのステータスビットのマルチフレームでの位置からいずれの端末かを検出して、その警報信号により表わされる警報の種類および端末の種別を識別して、いずれの端末においてどのような異常が発生しているかを検出する。
【００２９】
以上のように本実施形態の多重化装置によれば、端末側において発生した異常をそれぞれフレーム終端回路１０２Ａ〜１０２Ｎにより検出して、その警報ビットをデータセレクタ回路１２に応動した警報セレクタ回路１４により端末毎のデータに対応して選択して、バッファメモリ１６に対応のデータとともに書き込みおよび読み出すので、多重化したデータを読み出す際にそのデータに対応した警報ビットを的確に読み出すことができる。その際、リードアドレス制御回路１８４の制御により端末毎にあらかじめ記憶された種別ビットを警報種別メモリ２０４から読み出してそれら警報ビットおよび種別ビットにより表わす警報情報を警報変換テーブル２０６により網側において識別可能な警報情報に有効に変換することができる。さらに、出力変換部２２では、フレーム生成回路２２６において端末毎のデータに応動して警報信号を受けて、これをマルチフレームにより表わすステータスビットの所定の位置に割り付けて伝送するので、網のノード装置ではマルチフレームのステータスビットの位置からいずれの端末の警報信号であるかを検出することができ、警報信号の内容からどのような端末にどのような異常が発生したかを有効に識別することができる。したがって、複数の端末からのデータを多重化して所定のディジタル網に接続された高速ディジタル専用線を介して伝送する場合に、他の加入者と同様に保守および管理を網側において有効に実施することができる。
【００３０】
次に、図４には本発明による多重化装置の他の実施形態が示されている。本実施形態においては、たとえば図５に示すように、企業内の複数の区域ａ〜ｈにそれぞれ分散して配置された複数の端末ＴＥからのデータを端末多重化装置５０ａ〜５０ｈにより多重化して、さらにその中から実際に配置された端末ＴＥからのデータのみを専用線多重化装置６０により選択して高速ディジタル専用線３００により伝送する多重化フレームに形成する場合を例に挙げて説明する。特に、本実施形態による多重化装置６０は、端末多重化装置からの有効データの位置をあらかじめ記憶したデータカウントメモリ１９０と、バッファメモリ１６のいずれのアドレスに、いずれの端末ＴＥからのデータを割り付けるかをあらかじめ記憶したライトアドレスメモリ１９４と、を含み、その割り付け位置に対応して警報変換部２０の警報種別メモリ２０４に端末毎の種別を表わす種別ビットがあらかじめ登録される点が主な特徴点である。なお、図４において、図１と同様の部分には同符号を付してその説明は簡略化する。
【００３１】
図５を参照すると、本実施形態では、たとえば８つの区域ａ〜ｈに、それぞれ６４kbps端末ＴＥが所望の台数づつ配置されている。たとえば、区域ａに１０台、区域ｂに３台、区域ｃに３４台、区域ｄに３台、区域ｅに５台、区域ｆに２５台、区域ｇに４台、区域ｈに５台づつ合計８９台の６４kbps端末ＴＥが配置されており、全端末数は、６．３Mbpsの専用線３００の伝送フレームに収容可能な６４kbps端末が９６台以下の端末数となっている。もちろん、全端末の伝送容量が６．３Mbps以下であれば、それぞれの区域の端末数は任意の数でよい。また、たとえば、区域ｂ，ｆなどには２４台または３２台の６４kbps端末の代わりに１．５Mbpsあるいは２．０Mbpsの端末が収容されていてもよい。それぞれの区域ａ〜ｈに配置された端末ＴＥは、それぞれ端末多重化装置５０ａ〜５０ｈに収容される。
【００３２】
端末多重化装置５０ａ〜５０ｈは、複数の端末ＴＥからのデータを時分割多重して伝送するそれぞれ周知の時分割多重化装置であり、本実施形態では、それぞれの区域ａ〜ｈの所定の個所に設置されて、その区域に配置された端末容量以上の端末ＴＥを収容可能なそれぞれ多重化装置である。より具体的には、たとえば区域ａの端末多重化装置５０ａは、６４kbps端末を２４台分収容可能なそれぞれ低速側入力を有し、その区域ａに配置された１０台の６４kbps端末ＴＥが任意の入力にそれぞれ接続されている。その高速側には、端末が接続されていない空きデータを含む２４台分のデータが時分割多重された２４タイムスロットのフレームを伝送する１．５Mbpsの伝送容量を有する伝送線５２ａが接続されている。この場合、１．５Mbpsの伝送フレームには、フレーム同期信号が付加され、さらに符号誤りを検出可能なＣＲＣ符号などが含まれている。
【００３３】
同様に、区域ｂ，ｄ，ｅ，ｇ，ｈには、区域ａの端末多重化装置５０Ａと同様な６４kbps端末を２４台分収容可能な時分割多重化装置５０ｂ，５０ｄ，５０ｅ，５０ｇ，５０ｈがそれぞれ設置されて、その区域の端末ＴＥを低速側入力にそれぞれ収容し、高速側に１．５Mbpsの伝送線５２ｂ，５２ｄ，５２ｅ，５２ｇ，５２ｈがそれぞれ接続されている。一方、区域ｃの端末多重化装置５０ｃは、６４kbps端末を９６台分収容可能な時分割多重化装置であり、低速側入力に３４台の６４kbps端末ＴＥを収容して、高速側に６．３Mbpsの伝送線５２ｃが接続されている。また、区域ｆの端末多重化装置５０ｆは、６４kbps端末を３２台分収容可能な時分割多重化装置であり、低速側に２５台の端末ＴＥを収容して、高速側に２．０Mbpsの伝送線５２ｆが接続されている。それぞれの端末多重化装置５０ａ〜５０ｈに収容された伝送線５２ａ〜５２ｈは、それぞれ本実施形態による専用線多重化装置６０の低速側入力に接続されている。
【００３４】
本実施形態による専用線多重化装置６０は、端末多重化装置５０ａ〜５０ｈを介して伝送されるそれぞれの区域ａ〜ｈの端末ＴＥからのデータを専用線３００に多重化して伝送する多重化装置であり、本実施形態では、それぞれ低速側入力に接続された伝送線５２ａ〜５２ｈからのフレームのうちそれぞれの実際に配置されている端末ＴＥに対応するスロットのデータを選択して、専用線３００により伝送するフレームにそれぞれ割り付ける多重化装置である。より具体的には、本実施形態による専用線多重化装置６０は、上記実施形態と同様に、入力変換部１０と、データセレクタ回路１２と、警報セレクタ回路１４と、バッファメモリ１６と、多重化制御部１８と、警報変換部２０と、出力変換部２２とを含む。この中で上記実施形態と異なる点は、多重化制御部１８に、バッファメモリ１６のいずれのアドレスに、いずれの端末ＴＥからのデータを割り付けるかをあらかじめ記憶した端末位置記憶手段としてのライトアドレスメモリ１９４を含む点であり、本実施形態では、多重化制御部１８は、データカウントメモリ１９０と、データカウント制御回路１９２と、ライトアドレスメモリ１９４と、リードアドレスカウンタ１９６と、主制御回路（ＣＰＵ）１９８とを含む。データカウントメモリ１９０は、データセレクタ回路１２において選択するスロットの順序があらかじめ記憶された記憶回路であり、本実施形態では、たとえば図６に示すように、低速側のフレームの第１タイムスロットＴＳ１から順次空きスロットを除く選択するチャネルの番号を表わす情報を記憶している。たとえば、第１タイムスロットＴＳ１では、チャネルＣＨ７のスロットを除くチャネルＣＨ１からチャネルＣＨ８までの番号を順次記憶し、第２タイムスロットでは第１のタイムスロットＴＳ２と同様のチャネルの番号をその順序で記憶し、第３タイムスロットではチャネルＣＨ３，５，８を除くチャネルＣＨ１からチャネルＣＨ７までを順次記憶し、以下同様に第４タイムスロットＴＳ４から第９６タイムスロットＴＳ９６まで、それぞれ空きスロットを除く順次選択するチャネルの番号を記憶している。その記憶内容は、それぞれの区域ａ〜ｈにおいて端末ＴＥの増減があった際に、主制御回路１９８を介して書換可能となっている。データカウントメモリ１９０からの選択順序を表わす情報は、データカウント制御回路１９２に供給される。
【００３５】
データカウント制御回路１９２は、データカウントメモリ１９０からの情報に基づいてデータセレクタ回路１２および警報セレクタ回路１４にいずれのデータおよび警報ビットを選択するかを表わす選択信号を供給するセレクタ制御回路であり、本実施形態では、データセレクタ回路１２および警報セレクタ回路１４にそれぞれのタイムスロット毎に選択信号を供給した際にこれに応動するタイミング信号をライトアドレスメモリ１９４に供給する。ちなみに、選択されないスロットのデータは、データセレクタ回路１２において破棄される。ライトアドレスメモリ１９４は、バッファメモリ１６に書込みアドレスを供給する書込み制御回路であり、本実施形態では、データカウント制御回路１９２からのタイミング信号に応動してその書込みアドレスをバッファメモリ１６に供給する。リードアドレスカウンタ１９６は、バッファメモリ１６に読出しアドレスを供給する読出し制御回路であり、本実施形態では、専用線３００の伝送速度６．３Mbpsに応動したリードクロックＲＣＫに基づいて順次更新した読出しアドレスをバッファメモリ１６に供給し、これと同様のアドレスを警報種別メモリ２０４へ供給する。主制御回路１９８は、初期設定の際または端末の増減があった際に、データカウントメモリ１９０への端末多重化装置からの有効データの情報の登録およびライトアドレスメモリ１９４への端末毎のデータ位置を表わす情報の登録およびそのデータ位置に対応した端末毎の種別ビットの警報種別メモリ２０４への登録を制御する位置登録制御回路を含む。
【００３６】
上記のような構成において、まず、それぞれの区域ａ〜ｈでは、それぞれの端末ＴＥからのデータが端末多重化装置５０ａ〜５０ｈにより時分割されてそれぞれのフレームに割り付けられる。たとえば、区域ａでは、図６に示すように、１フレーム当たり２４タイムスロットのフレームに、第１の端末ＴＥからのデータがその接続されたチャネルＣＨ１−１となる第１タイムスロットＴＳ１に割り付けられ、第２の端末ＴＥからのデータがチャネルＣＨ１−２となる第２タイムスロットＴＳ２に割り付けられ、以下第３〜第１０の端末ＴＥからのデータがそれぞれ接続された位置に相当するタイムスロットにそれぞれ割り付けられる。この際、端末が接続されていないタイムスロットは、空きデータとして割り付けられる。それぞれのデータが割り付けられたフレームは、フレーム同期信号およびデータ誤りを検出するＣＲＣ符号などが付加されて、伝送線５２ａを介して専用線多重化装置６０に第１のチャネルＣＨ１として伝送される。同様に、区域Ｂでは、３台の端末ＴＥからのデータが２４タイムスロットのフレームにそれぞれ割り付けられて伝送線５２ｂを介して第２のチャネルＣＨ２として専用線多重化装置６０に伝送される。
【００３７】
同様に、区域ｃでは、３４台の端末ＴＥからのデータが９６タイムスロットのフレームにそれぞれ割り付けられて伝送線５２ｃを介して第３のチャネルＣＨ３として専用線多重化装置６０に伝送される。以下同様に、区域ｄ，ｅ，ｇ，ｈでは、それぞれ２４タイムスロットのフレームにそれぞれの端末ＴＥからのデータが割り付けられて、それぞれの伝送線５２ｄ，５２ｅ，５２ｇ，５２ｈを介して第４、第５、第７、第８のチャネルＣＨ４，ＣＨ５，ＣＨ７，ＣＨ８として専用線多重化装置６０にそれぞれ伝送される。また、区域ｆでは、３２タイムスロットのフレームに２５台の端末ＴＥからのデータがそれぞれ割り付けられて、その伝送線５２ｆを介して第６のチャネルＣＨ６として専用線多重化装置６０に伝送される。
【００３８】
次に、それぞれの伝送線５２ａ〜５２ｈからそれぞれのチャネルＣＨ１〜ＣＨ８のフレームを受けた専用線多重化装置６０は、入力変換部１０のフレーム終端回路１０２Ａ〜１０２Ｎによりそれぞれのフレーム毎に終端して、その同期はずれあるいはデータ誤りがあるか否かを検出する。異常があれば、その異常を表わす警報ビットを生成して、これをそのチャネルのデータ位置に同期して警報側のシリアルパラレル変換回路１０８Ａ〜１０８Ｎに供給する。一方、終端されたデータは、速度変換回路１０４Ａ〜１０４Ｎにより速度変換されて、それぞれのタイムスロットがデータ側のシリアルパラレル変換回路１０６Ａ〜１０６Ｎにより順次ビットパラレルに変換される。８ビットパラレルに変換されたデータは、データセレクタ回路１２により第１タイムスロットＴＳ１から順次、端末ＴＥに対応するチャネルのデータが選択されてバッファメモリ１６に蓄積され、同時に警報ビットが発生している場合は、警報セレクタ回路１４によりそのデータに対応した警報ビットが選択されてバッファメモリ１６に蓄積される。たとえば、第１タイムスロットＴＳ１ではチャネルＣＨ７の空きデータを除くチャネルＣＨ１からチャネルＣＨ８までのデータが順次選択されて、バッファメモリ１６に蓄積される。次いで、第２タイムスロットＴＳ２のそれぞれのチャネルの端末ＴＥに対応するデータが選択されてバッファメモリ１６に順次蓄積され、以降、第３〜第２４のタイムスロットのそれぞれのチャネルの端末ＴＥに対応するデータが選択されてバッファメモリ１６にそれぞれ蓄積される。さらに、第２５タイムスロットＴＳ２５以降では、第３２タイムスロットＴＳ３２までチャネルＣＨ３とチャネルＣＨ６に端末ＴＥに対応するデータがあれば、それぞれ選択され、第３３タイムスロット以降では第９６タイムスロットＴＳまでチャネルＣＨ３の端末ＴＥに対応するデータがそれぞれ選択されてバッファメモリ１６に蓄積される。同様に、警報ビットはそれぞれのタイムスロットのデータ位置に応動して選択されてバッファメモリ１６に蓄積される。
【００３９】
これにより、それぞれのチャネルＣＨ１〜ＣＨ８に対応するデータおよび警報ビットが選択されて、バッファメモリ１６に蓄積されると、その蓄積順にデータおよび警報ビットが読み出される。この際、警報種別メモリ２０４にはバッファメモリ１６への読出しアドレスと同様のアドレスが供給されて、その読み出したデータに対応する端末の種別ビットが読み出される。読み出されたデータは出力変換部２２に順次供給され、警報ビットおよび種別ビットは上記実施形態と同様に警報変換部２０により網側のノード装置により識別可能な警報信号に変換されて出力変換部２２に供給される。次に、出力変換部２２では、パラレルシリアル変換回路２２２によりデータをビットシリアルに変換してフレーム生成回路２２６により９６タイムスロットのデータフレームを生成し、これにパラレルシリアル変換回路２２４によりビットシリアルに変換した警報信号を所定のマルチフレームのステータスビットに挿入して専用線３００により伝送するフレームを生成する。生成されたフレームは、順次専用線３００を介して網に伝送される。網のノード装置では、上記実施形態と同様にマルチフレームのステータスビットの位置から端末毎の警報信号を検出して、その種別および警報を識別して異常を検出する。
【００４０】
以下同様に、それぞれの区域ａ〜ｈにおいて、それぞれの端末ＴＥからのデータが端末が接続されていない空きデータとともに端末多重化装置５０ａ〜５０ｈにより所定のフレームのタイムスロットに割り付けられて、それぞれ伝送線５２ａ〜５２ｈを介して専用線多重化装置６０に伝送されると、専用線多重化装置６０ではそれぞれのフレームから実際に配置されている端末ＴＥのデータのみを選択してバッファメモリ１６に蓄積する。この際、専用線多重化装置６０では、それぞれの端末多重化装置５０ａ〜５０ｈを介して供給されるフレームを終端してチャネルの異常を検出すると、その異常を表わす警報ビットを生成して、これをその端末ＴＥのデータとともにバッファメモリ１６に蓄積する。蓄積されたデータおよび警報ビットは同時に読み出されて、データは９６タイムスロットのフレームに形成される。警報ビットはその端末の種別ビットとともに警報変換テーブル２０６により警報信号に変換され、所定のマルチフレームのステータスビットに挿入される。これにより、専用線３００による伝送フレームが形成されて、網のノード装置に伝送されると、警報信号が挿入されたステータスビットのマルチフレームでの位置およびその警報信号の内容により、いずれの端末にどのような異常が発生しているかが検出される。
【００４１】
以上のように本実施形態によれば、専用線多重化装置６０によってその低速側のそれぞれのフレームから端末ＴＥに対応するデータのみを選択して、これらを専用線３００により伝送するフレームに割り付けて多重化するので、低速側に接続される伝送線５２（５２ａ〜５２ｈ）により伝送されるフレームに端末が接続されない空きスロットが含まれる場合であっても、それらを除いて必要なデータのみを専用線３００に多重化することができる。これにより、専用線多重化装置６０の低速側に接続される伝送線５２のそれぞれのデータ帯域を任意のものにすることができ、また、その線数も任意の数でよい。したがって、端末ＴＥを配置する区域が多い場合であっても、それぞれの区域に、伝送線５２を布設して、端末多重化装置５０（５０ａ〜５０ｈ）をそれぞれ設置することができる。この場合、それぞれの区域に配置される端末数が大きく異なる場合であっても、端末多重化装置６０をその区域の端末数に応じた多重化数とすることができる。この結果、複数の区域に、専用線（３００）のデータ帯域を越えない範囲であれば、それぞれ任意の数の端末を自在に配置することができる。さらに、端末多重化装置に異常が発生した場合、専用線多重化装置６０によりそれぞれの端末毎のデータに対応した警報ビットを検出して、そのデータ位置に応じてバッファメモリ１６に書き込みおよび読み出すので、空きデータを除き必要なデータのみを多重化する場合であっても、それぞれのデータに対応した警報情報を出力側に転送して、網側において端末毎に識別可能な警報情報とすることができる。
【００４２】
また、専用線多重化装置６０のデータカウントメモリ１９０およびライトアドレスメモリ１９４の記憶内容を書換可能としたので、専用線（３００）のデータ帯域を越えない範囲であって伝送線５２のデータ帯域を越えない範囲であれば、それぞれの装置を設置した後であっても、端末多重化装置５０に収容する端末数を任意に増減することができる。さらに、データカウントメモリ１９０およびライトアドレスメモリ１９４の書き換えに応じて主制御回路１９８の制御の下に警報種別メモリ２０４の端末毎の種別ビットを書き換えるので、それぞれの区域において端末の増減があって端末位置が変わった場合であっても、それらの警報情報を有効に網に伝達することができる。
【００４３】
なお、図１または図４に示す各実施形態では、専用線３００として６．３Mbpsの高速ディジタル専用線を適用した場合を例に挙げて説明したが、本発明においては、そのデータ帯域はいずれの値の専用線を適用してもよい。たとえば、それぞれの区域に配置した全端末数に応じて５０Mbpsまたは１５０Mbpsなどの超高速専用線であってもよい。
【００４４】
さらに、上記各実施形態では、端末毎のデータおよびこれに対応する警報ビットをバッファメモリ１６の同じアドレスに蓄積するようにしたが、本発明においては同様のタイミングにより書き込みおよび読み出すことができる異なるアドレスに蓄積するようにしてもよい。その場合、異なるメモリにそれぞれ蓄積してもよい。また、図４に示す実施形態では、専用線多重化装置６０において、データカウントメモリ１９０に記憶した情報に基づいてデータカウンタ制御回路１９２からの選択信号によりセレクタ回路１２に必要なデータのみを選択させて、そのデータをバッファメモリ１６に順次記憶させるようにしたが、たとえば、セレクタ回路１２に空きデータを含むすべてのデータを順次選択させて、そのデータのうちデータカウントメモリ１９０の情報に基づいてライトアドレスメモリ１９４を制御して、必要なデータが選択された際にのみバッファメモリ１６に書込みアドレスを供給してそのデータを書き込むようにしてもよい。
【００４５】
【発明の効果】
以上説明したように本発明の多重化装置によれば、複数の端末からのデータを多重化して、その多重化信号を所定の通信網に接続された専用線を介して伝送する多重化装置において、それぞれの端末からのデータを入力する入力手段であって、それぞれのデータを終端して端末側の異常を表わす警報ビットをそれぞれ検出する警報検出手段を含む入力手段と、入力手段からのそれぞれのデータを多重化する所定の順序により選択するデータ選択手段と、データ選択手段により選択したデータの順序に応動して警報検出手段によって検出した警報ビットをそれぞれ選択する警報ビット選択手段と、データ選択手段からのデータおよび警報ビット選択手段からの警報ビットを一時蓄積するバッファ手段と、データ選択手段およびバッファ手段を制御して所定の並びの多重化信号を形成する制御手段であって、さらに警報ビット選択手段およびバッファ手段を制御して警報ビット選択手段により選択した警報ビットをそれぞれバッファ手段の対応のデータを記憶した対応のアドレスに書き込みおよび読み出す制御手段と、バッファ手段からデータとともに読み出された警報ビットを網側で識別可能な警報信号にそれぞれ変換する警報変換手段と、バッファ手段から読み出されたデータ列により形成される多重化信号に警報変換手段からの警報信号を付加して、専用線により伝送する所定のフレームとして生成するフレーム生成手段とを含むので、それぞれの端末毎の警報情報を有効に網側のノード装置に通知することができる。したがって、複数の端末からのデータを専用線に多重化して伝送する場合にも、個別のユーザ端末と同様に、それぞれの端末の異常を網側で保守管理することができる優れた効果を奏する。
【００４６】
また、本発明の多重化装置の警報検出手段において、端末からのデータを終端した際に、その同期ずれあるいはデータ誤りに基づいて端末との間の伝送路の異常を検出し、それら異常を表わす警報ビットを生成する警報ビット生成機能を含むので、端末の異常あるいはその伝送路の異常に応じた警報情報を有効に生成して網側に伝達することができる。
【００４７】
また、本発明の多重化装置の制御手段がバッファ手段のいずれのアドレスにいずれの端末からのデータを割り付けるかをあらかじめ記憶した端末位置記憶手段を含み、その端末位置記憶手段に基づいてデータ選択手段および警報ビット選択手段を制御して記憶手段の所定のアドレスにそれぞれの端末からのデータおよび警報ビットをそれぞれ割り付けるので、たとえば複数の区域に分散して配置された端末からのデータを多重化したフレームをさらに専用線に多重化する際に、その多重化制御に応じて的確にデータおよび警報ビットを割り付けることができる。したがって、複数の端末の各種の収容形態に応じた多重化およびその管理を有効に実現することができる。
【００４８】
さらに、本発明の多重化装置の警報変換手段が端末の種別を表わす種別ビットがあらかじめ記憶された種別ビット記憶手段と、種別ビット記憶手段からの種別ビットとバッファ手段からの警報ビットに基づいてこれらを警報信号に変換する変換テーブルとを含み、種別ビット記憶手段は、制御手段の制御の下にバッファ手段から警報ビットが読み出される際にそのアドレスに基づいて対応の端末の種別ビットが読み出されるので、それぞれの端末の収容位置に応じた警報ビットが読み出される際に的確にその端末の種別を表わす種別ビットを読み出して、これらを網側のノード装置において識別可能な警報信号に変換することができる。
【００４９】
また、本発明の多重化装置によれば、フレーム生成手段が警報変換手段からのそれぞれの端末毎の警報信号を複数のフレームから構成されるマルチフレームの所定の位置にそれぞれ割り付けるので、網側のノード装置において警報信号の位置を検出して、いずれの端末の警報であるかを識別することができる。
【図面の簡単な説明】
【図１】
本発明による多重化装置の一実施形態を示すブロック図である。
【図２】
図１の実施形態に適用される警報変換テーブルの内容を示す図である。
【図３】
図１の実施形態に適用される６．３Mbpsのフレーム例を示す図である。
【図４】
本発明による多重化装置の他の実施形態を示すブロック図である。
【図５】
図４の実施形態による多重化装置を適用した構内配線例を示す図である。
【図６】
図４の実施形態による多重化装置の低速側入力に供給されるフレーム例を示す図である。
【図７】
図４の実施形態による専用線多重化装置に対する比較例を示すブロック図である。
【符号の説明】
１０  入力変換部
１２  データセレクタ回路
１４  警報セレクタ回路
１６  バッファメモリ
１８  多重化制御部
２０  警報変換部
２２  出力変換部
１０２Ａ〜１０２Ｎ  フレーム終端回路
１８２  ライトアドレス制御部
１８４  リードアドレス制御部
１８６  主制御部
２０４  警報種別メモリ
２０６  警報変換テーブル